(57)【要約】  一枚の布地であっても留めることができ、しかも布地を傷めずに穴が開くことを防止できる上、簡単に外れることがない留め具を提供する。  布地１０の表面側と裏面側に配置される第１係止部材１と第２係止部材２とを係合させて布地１０に係止されるようにし、第１係止部材１として、側面に開口部３１を有する外筒３内に、バネ４を介して、側面に開口部５１を有する内筒５を挿入して構成する。また、第２係止部材２として、基板２２から突出する突出部２１の先端に係合突起２４を設ける。そして、布地１０を通して第２係止部材２の突出部２１を第１係止部材１の開口部３１、５１に挿入することにより布地１０に係止する。
2008023443.tif 000002
【特許請求の範囲】
【請求項１】
布などのシート状物に係止される留め具であって、前記シート状物の一方のシート面側に配置され且つ係止部を備えた第１係止部材と、他方のシート面側に配置され且つ係止突起を備えた第２係止部材からなり、前記第１係止部材の係止部と第２係止部材の係止突起とは係脱自在にされるとともに、前記シート状物を挟み込んだ状態で第１係止部材の係止部と第２係止部材の係止突起とを係合させることにより該シート状物に係止されるようにしたことを特徴とする留め具。
【請求項２】
前記係止部と係止突起との係合は、前記第１係止部材または第２係止部材に設けられる弾性部材の付勢力によってなされ、該弾性部材の付勢力の付勢方向が、前記シート状物の面方向とほぼ同じであることを特徴とする請求の範囲１記載の留め具。
【請求項３】
前記第１係止部材と第２係止部材とがシート状物に係止された状態において、前記係止部および／または係止突起と、前記シート状物との間に間隙が形成されることを特徴とする請求の範囲１又は請求の範囲２に記載の留め具。
【発明の詳細な説明】
【技術分野】
【０００１】
本発明は、シート状となった布などを挟持することによって、その布などに係止される留め具に関するものである。
【背景技術】
【０００２】
従来、学童の名札は、安全ピンを使用してシャツや上着の表面に係止される。これは、子供服によってはポケットのないＴシャツなどがあり、ポケットがなくても留めることができるようにするためである。しかしながら、子供服は毎日着替えることが多く、その都度、名札を付け替えることになる上、名札を留める位置は、自ずとほぼ決まっており、同じ位置に繰り返して安全ピンを刺していると、長い間にはその部分に穴が開いてくる。
この問題を解決するために、提案されたものとしては、雄側と雌側のホックにより服の生地をはさみ、名札を固定するように設けられたもの（例えば、特開２００４−４１６３６号公報（特許文献１）参照。）がある。
また、近年、会社内における身分証明のために名札を首から下げたり、ポケットに取り付けたりする企業が増え、そのニーズに対応するべく、ポケットや前襟等に装着するためのさまざまなクリップを備えたもの（例えば、特開２００４−１１７５０１号公報（特許文献２）および特開２００４−１７３８４６号公報（特許文献３）参照。）が提案されている。
ところが、特許文献１に示された提案では、雌側のフックの可撓力が固定力のすべてを担っており、固定力を上げると着脱の際に力が必要になり、着脱がし難い上、雄側と雌側で強く生地を挟んだ状態のままとなるため、強すぎると生地を痛める結果となる。そのため、安全ピンと同様に繰り返して使っているうちに、生地に穴が開くことが懸念される。その反面、着脱しやすいように可撓力を弱くすると固定力が落ちて、外れやすくなる。
また、特許文献２および特許文献３に示されたような、クリップを備えたものにおいては、所詮はポケット等がないと取り付けることができない。たとえ、ポケット等があって取り付けたとしても、ポケット等の布地を単純に挟んでいるだけなので、強い力で引っ張られると、簡単に取れてしまい、戯れ遊ぶ学童の服には向いていない。
そこで本発明は、この課題を解決するために、ポケットのない衣服などのように一枚の布地であっても留めることができ、しかも布地を傷めずに穴が開くことを防止できる上、簡単に外れることがない留め具を提供することを目的とする。
【発明の開示】
【０００３】
上記目的を達成するため本発明は、布などのシート状物に係止される留め具において、前記シート状物の一方のシート面側に配置され且つ係止部を備えた第１係止部材と、他方のシート面側に配置され且つ係止突起を備えた第２係止部材から構成し、第１係止部材の係止部と第２係止部材の係止突起とを係脱自在にするとともに、シート状物を挟み込んだ状態で第１係止部材の係止部と第２係止部材の係止突起とを係合させることによりシート状物に係止されるようにした。
そして、例えば第１係止部材としては、外筒と、その中をスライドする内筒とに、それぞれ開口部を穿設し、この開口部の周縁部を係止部にするとともに、この開口部を付勢力で開閉するようにする。そして、布地など介在させて、この開口部に第２係止部材の係止突起を挿入し、第２係止部材の係止突起と第１係止部材の開口部周縁（係止部）とを係合させて抜け出ないようにする。
これにより、布地などは係止部と係止突起によって挟持されるようになり、留め具は布地などに係止された状態となる。このため、ポケットが無い衣服のような一枚の布地などへも留めることができる。また、布地などに穴をあけなくても係止された状態となるため、布地などを傷めることが無いため、繰り返して着脱しても、布地などに穴が開く心配が無い。
さらに、本発明では、前記係止部と係止突起との係合を、第１係止部材または第２係止部材に設けた弾性部材の付勢力でなされるようにし、該弾性部材の付勢力の付勢方向を、シート状物の面方向とほぼ同じであるようにした。
例えば、前記した外筒と内筒の構造の場合、付勢力を布面に略並行になるようにすると良い。これによって、留め具を引っ張ったりして、外そうとする力の方向と付勢力の方向は一致することなく交差した状態になる。すなわち、留め具を不用意に外そうとする力は、布面に略直角方向にかかり付勢力の方向と一致せず、付勢力でこの外そうとする力に抗するのではなく、留め具そのものの強度で抗するようになるため、容易に外れることが無い。
なお、この際、係止突起と係止部の係合状態についても、係止突起と係止部とがシート面と平行な面で重なり合うようにすれば、留め具を取り外す方向に引っ張っても取り外しにくくなり好適である。
さらに、本発明では、第１係止部材と第２係止部材とがシート状物に係止された状態において、前記係止部および／または係止突起と、前記シート状物との間に間隙が形成されるようにした。
これによって、留め具の係止部と係止突起によって、布などのシート状物を強い力で挟み込まなくても、留め具は係止されるようになり、繰り返し着脱しても布地などを痛めることがないので、布地などに穴が開く心配が無い。
本発明の実施の形態について添付した図面に基づき説明する。
ここで第１図は本発明に係る留め具の一実施形態を説明する分解斜視図、第２図はこの留め具の動作を説明する斜視図、第３図はこの留め具を布地に係止した状態を示す断面図、第４図および第５図は他の実施形態の留め具を示す斜視図である。
本発明に係る留め具は、布地を挟んで挟持するために、布地の表側と、裏側にそれぞれ位置して、お互いに組み合わさることによって係止されるように設けられている。たとえば表側が、開口部を有する角筒形状で、裏側がその開口部に嵌め込まれる突出部を有するものである。
したがって、例えば、第１図〜第３図に示した第１係止部材１と第２係止部材２とが布地１０を介して係合するように設ける。第１係止部材１は、一端が閉鎖端３２として閉鎖され、他端が解放端３３として解放される断面矩形状の外筒３と、その中に入るように設けられ且つ一端が閉鎖端５２として閉鎖され、他端が解放端５３として開放される内筒５と、外筒３と内筒５との間に介装されるバネ４とから構成される。
外筒３と内筒５とには、それぞれの側面にほぼ同じ大きさで横長の長方形の開口部３１、５１が穿設されている。それぞれの開口部３１、５１は、第２係止部材２の突出部２１を布地１０が覆った状態で、出入りできる大きさである。開口部５１の閉鎖端５２側には、開口部３１に僅かの厚さで嵌るように外側に突出した脱落防止爪５４が設けられている。
第１係止部材１を組み立てるに当っては、まず、外筒３の開放端３３からバネ４を挿入した後、同開放端３３から内筒５の閉鎖端５２を先頭にして挿入する。この際、脱落防止爪５４が開口部３１に嵌った時点で、内筒５は外筒３から脱落しなくなる。すなわち、脱落防止爪５４が開口部３１内を移動する範囲で、内筒５がスライドすることになる。
内筒５を押し込むと、閉鎖端５２がバネ４を押す。最大押し込んだ状態で、開口部３１と開口部５１とによってできる開口幅が最大となるように設けられている。バネ４は、その外径が開口部３１の高さより大きいものを使用することにより、開口部３１から脱落することがない。
第２係止部材２は、基板２２と、基板２２から水平方向に突出した突出部２１とが一体的に形成されており、突出部２１はアーム２３と係止突起２４とからなり、係止突起２４は水平方向の外側に突出してアーム２３より幅広く形成されている。
次に、それぞれの動作について第２図を参照して説明する。上記したように、第１係止部材１を組み立てた後に（第２図（ａ））、外筒３の閉鎖端３２と内筒５の開放端５３とを摘むようにして持ち、内筒５を押し込むことによって、開口部３１と開口部５１とが、最大に開いた状態（第２図（ｂ））となる。ここに第２係止部材２の突出部２１を挿入し、係止突起２４が内筒５内に納まった時点で、外筒３の閉鎖端３２と内筒５の開放端５３とを離すと、バネ４の付勢力により内筒５の閉鎖端５２が押し出され、開口部３１と開口部５１とでアーム２３が挟まれた状態となり、開口部３１、５１の内側周縁と、係止突起２４とが前後に重なり合って、アーム２３は開口部３１、５１から抜け出なくなる。
なお、この際、内筒５が押し込まれた位置からバネ４が復元して一番伸びきった状態（付勢力がなくなった状態）で、重なり合って開口する開口部３１、５１の開口幅が、アーム２３の係止突起２４部分の横幅より小さく、またアーム２３自体の基端側の幅よりやや大きめになるようにしている。
この状態を、衣服などの布地１０を介在させた状態で説明すると、第３図に示したように、布地１０は突出部２１を包み込んだ状態で、突出部２１と一緒に内筒５内に納まるので、第１係止部材１と第２係止部材２とが布地１０を挟持したような状態で布地１０に係止され、動かなくなる。
また、この状態で、無理やり第１係止部材１から第２係止部材２を引き離そうとする力（矢印Ｙ）がかかったとしても、バネ４の付勢力Ｘとは方向が異なる。引き離そうとする力に抗する力は第１係止部材１と第２係止部材２との構造的強度そのものであって、かなりの力に耐えうる。一方、バネの付勢力Ｘは過度に強くなくても良く、適当な付勢力Ｘを有するバネ４で十分である。またバネ４が伸びきった状態で、布地１０と、開口部３１、５１や係止突起２４との間に僅かに間隙が形成されるため、バネ４による無用なストレスを布地１０に与えるものではない。
この構造で特徴的なことは、第１係止部材１が伸縮することによって第２係止部材２と係合し、布地１０と、開口部３１、５１や係止突起２４との間に僅かな間隙をもった状態で係止されるのにも関わらず、簡単には外れないところにある。前記した特許文献１で示した先行技術のように、雌側のクリップで挟みこむのとは違い、無用なストレスが、布地１０にかからないため、布地１０をいためることが無く、繰り返し着脱しても、布地１０が破けることは無い。
また、布地１０に接する開口部３１の側面３１ｂや開口部５１の側面を縦方向または厚さ方向で、湾曲して形成する（角の無い形状で形成する）ことによって、布地１０への損傷をさらに防止することができる。
例えば、第１係止部材１の下部に名札Ｎ用のフック３５を一体的に形成し、これに名札Ｎを取り付けることによって、衣服を傷めることのない名札として学校や企業など多くの場での活用が期待される。また、名札だけでなく、衣類商品の正札を取り付けたり、二枚の布地を留め合わせたり、洗濯バサミとしてなど、留め具として多くの活用範囲が考えられる。
また、安全ピンのように針になった部分が無いことから、誤って人体に刺したりする危険が無いので、着用した状態での衣服への着脱でも安全である。
他の実施形態としては、前記の実施形態とは雄雌反対のものも考えられる。すなわち、第４図に示すように、布地の外側に略ひ（ひらがな）の字状の第２係止部材６と、内側にロの字状の第１係止部材７を設けることによって、同様の効果を得られる。
すなわち、第２係止部材６は可撓性を有する樹脂などで形成し、コの字状のアーム部６３の両端に係止突起６４を外側に張出して設け、アーム部６３を摘むことによって係止突起６４の横幅が伸縮するように設ける。第１係止部材７には係止突起６４の幅が狭くなった際に出入りできる大きさの開口部７１を穿設し、この開口部７１の裏側周縁を係止部とする。
布地に接する係止突起６４の先端や係止部としての開口部７１の縁は湾曲して（角が無い形状に）形成すると、布地へのストレスを減らすことができる。さらに、アーム６３の幅を開口部７１の幅より十分に小さく形成すれば、係止突起６４や開口部７１周縁と布地の間に間隙が形成され、布地を圧着する部分は無くなり、布地を傷める危険は殆どなくなる。
そして、第１係止部材７と第２係止部材６との間に布地（図示せず）を介在させた状態で、アーム６３を摘んで係止突起６４の幅を狭めた状態で、布地ともども開口部７１へ挿入し、アーム６３を離す。すると、係止突起６４が開口部７１の内側で広がって、係止突起６４が開口部７１周縁に係合する状態となり、第１係止部材７を引っ張っても簡単に抜き取ることはできない。
さらに、他の実施形態として、上記のような開口部に突起を入れるのではなく、洗濯バサミのように留めるように設ける方法も考えられる。すなわち、第５図に示すような左右に伸縮する第２係止部材としての洗濯バサミ状のクリップ９と、これと係合する第１係止部材としての略エの字状の係止板８との組合せでも良い。
この場合、係止板８には凹部８１が形成されており、この凹部８１の裏側周縁部が係止部にされるとともに、クリップ９には、バネ９０で開閉するアーム９６が設けられ、このアーム９６の先端に、内側に張出す係止突起９７が形成されている。そして、クリップ９を開いた後、前記凹部８１にクリップ９のアーム９６をバネ９０の付勢力で係合させると、係止突起９７が凹部８１の裏側縁部の係止部に係合してクリップ９を引っ張っても抜き取ることができないようにされるが、この際、アーム９６の最小幅より両凹部８１間の距離を小さくすれば、布地（図示せず）に圧着する部分は無くなり、布地を傷めることは無い。
尚、本発明は以上のような実施形態に限定されるものではない。本発明の特許請求の範囲に記載した事項と実質的に同一の構成を有し、同一の作用効果を奏するものは本発明の技術的範囲に属する。
例えば、上記実施形態においては、外筒３および内筒５が断面矩形状であったが、その形状は、円柱状や半円柱状などにすることにより、その強度や布の収納能力を向上させることができる。
【産業上の利用可能性】
【０００４】
本発明の留め具に、名札を取り付けることによって、衣服を傷めることのない名札として学校や企業など多くの場での活用が期待される。また、名札だけでなく、衣類商品の正札を取り付けたり、二枚の布地を留め合わせたり、洗濯バサミとしてなど、留め具として多くの活用範囲が考えられる。
【図面の簡単な説明】
【０００５】
【図１】
2008023443.tif 000003
【図２】
2008023443.tif 000004
【図３】
2008023443.tif 000005
【図４】
2008023443.tif 000006
【図５】
2008023443.tif 000007
【手続補正書】
【提出日】平成19年10月22日(2007.10.22)
【手続補正１】
【補正対象書類名】特許請求の範囲
【補正対象項目名】全文
【補正方法】変更
【補正の内容】
【特許請求の範囲】
【請求項１】
（削除）
【請求項２】
布などのシート状物に係止される留め具であって、前記シート状物の一方のシート面側に配置され且つ係止部を備えた第１係止部材と、他方のシート面側に配置され且つ係止突起を備えた第２係止部材からなり、前記第１係止部材の係止部と第２係止部材の係止突起とは係脱自在にされるとともに、前記シート状物を挟み込んだ状態で第１係止部材の係止部と第２係止部材の係止突起とを係合させ、前記係止部と係止突起との係合は、前記第１係止部材または第２係止部材に設けられる弾性部材の付勢力によってなされ、該弾性部材の付勢力の付勢方向が、前記シート状物の面方向とほぼ同じであることにより該シート状物に係止されるようにしたことを特徴とする留め具。
【請求項３】
布などのシート状物に係止される留め具であって、前記シート状物の一方のシート面側に配置され且つ係止部を備えた第１係止部材と、他方のシート面側に配置され且つ係止突起を備えた第２係止部材からなり、前記第１係止部材の係止部と第２係止部材の係止突起とは係脱自在にされるとともに、前記シート状物を挟み込んだ状態で第１係止部材の係止部と第２係止部材の係止突起とを係合させ、前記第１係止部材と第２係止部材とがシート状物に係止された状態において、前記係止部および／または係止突起と、前記シート状物との間に間隙が形成されることにより前記シート状物に係止されるようにしたことを特徴とする留め具。
【請求項４】
布などのシート状物に係止される留め具であって、前記シート状物の一方のシート面側に配置され且つ係止部を備えた第１係止部材と、他方のシート面側に配置された板状の第２係止部材からなり、前記第１係止部材の係止部が開閉することにより第２係止部材とが係脱自在にされるとともに、前記シート状物を挟み込んだ状態で第１係止部材の係止部と第２係止部材とを係合させることにより前記シート状物に係止されるように設けたことを特徴とする留め具。
【請求項５】
前記第１係止部材と第２係止部材とがシート状物に係止された状態において、前記係止部および／または第２係止部材と、前記シート状物との間に間隙が形成されることにより前記シート状物に係止されるように設けたことを特徴とする請求の範囲４記載の留め具。
【国際調査報告】
2008023443.tif 000008
2008023443.tif 000009
2008023443.tif 000010
2008023443.tif 000011